(57)【要約】  【課題】  現地表土に潜在の種子による樹木を無理なく生長させることができる緑化法枠構造を提供する。  【解決手段】  法面Ｎに敷設した、客土の滑落を防止する目合いを有し、金網を構成する素線３ａの一部に経時的に脆弱性を示す処理部ａを備えた防錆処理金網３と、この金網３の上に少なくとも縦方向または横方向に平行にして配置した線材５と、この線材５を埋め込むように盛り上げたモルタルまたはコンクリート１１による法枠１２と、この法枠１２，１２間に客土した樹木種子を潜在する現地表土１とによって、法面緑化のための法枠構造を構成している。【選択図】  図４
0003110814.tif 000002
【実用新案登録請求の範囲】
【請求項１】
法面に敷設した、客土の滑落を防止する目合いを有し、金網を構成する素線の一部に経時的に脆弱性を示す処理部を備えた防錆処理金網と、この金網の上に少なくとも縦方向または横方向に平行にして配置した線材と、この線材を埋め込むように盛り上げたモルタルまたはコンクリートによる法枠と、この法枠間に客土した樹木種子を潜在する現地表土とからなる緑化法枠構造。
【請求項２】
金網を構成する素線の一部に、防錆処理後に塩または酸性物質を付与して、この塩または酸性物質の付与部を経時的に脆弱性を示す処理部としてなる請求項１に記載された緑化法枠構造。
【請求項３】
金網を構成する素線の一部に、防錆処理後に擦過傷を形成して、この擦過傷を経時的に脆弱性を示す処理部としてなる請求項１に記載された緑化法枠構造。
【請求項４】
法面に敷設した、客土の滑落を防止する目合いを有し、金網を構成する素線の一部を切断した防錆処理金網と、この金網の上に少なくとも縦方向または横方向に平行にして配置した線材と、この線材を埋め込むように盛り上げたモルタルまたはコンクリートによる法枠と、この法枠間に客土した樹木種子を潜在する現地表土とからなる緑化法枠構造。
【考案の詳細な説明】
【技術分野】
【０００１】
本考案は、法面を現地樹木によって緑化するための緑化法枠構造に関する。
【背景技術】
【０００２】
切土法面や裸地法面などでは、自然にまかせての樹木による植生の遷移は、長期間を経てもなかなか進み難く、かと言って、周辺の植生とは異なる樹木を導入することは景観的に違和感がいつまでも残ることから、近年では、樹木種子を潜在した現地表土を採取し、これを客土として積極的に法面に導入して、現地の樹木による植生の遷移を促進させる工夫がなされている。
【０００３】
具体的には、客土の滑落を防止する目合いの防錆処理金網を緑化対象の法面上に敷設し、この金網上に、線材を埋め込む状態でモルタルまたはコンクリートを吹き付けて法枠を施工し、この法枠間に、樹木種子を潜在した現地表土を客土して、これらをもって緑化法枠構造とし、現地表土に潜在する樹木種子の発芽・生育を待って、現地の樹木による植生の遷移を図るようにしている。
【０００４】
この法面の緑化に際して、法面上に敷設する金網の目合いを大きくすると、客土の保持力が小さくなって、導入客土が滑落し易くなることから、一般には、目合いが２〜６ｃｍ程度で、素線の直径が０．８〜１．６ｍｍ程度の防錆処理が施された金網が法面上に敷設される。
【考案の開示】
【考案が解決しようとする課題】
【０００５】
ところが、この防錆処理された金網は、施工後の相当期間、法面上にそのまま残ることから、導入客土に潜在する樹木種子が発芽し生育するに伴って、幹径が太くなる樹木、例えばコナラ、ミズナラ、カシ類、ネムノキ、マツ類、クヌギのような樹木では、樹木の幹が金網の目合いよりも太く成長して、この幹に金網の素線が食い込むようになり、樹木の生育が阻害されることがある。
【０００６】
この際、金網の素線径を小径にすると、防錆処理が施されていても、これが短期間で腐食することから、樹木の生育に伴って、その幹が素線を破断するようになり、従って、幹への素線の食い込みによる樹木の生育不良を避けることができると考えられるのであるが、このように素線径を小さくすると、小規模の土砂崩れに対して必要な強度が得られなくなるとともに、初期における客土の保持力が極端に低下するのみならず、金網の全体が短期間で腐食してしまうことから、樹木種子が発芽・生育するまでの間に客土全体の滑落が懸念されるのであり、金網として、素線の直径が小さなものを用いることは論外とされているのである。
【０００７】
本考案は、かゝる実情に鑑みてなされたものであって、その目的は、現地表土に潜在する樹木種子の生育に伴っての、その樹木の幹への素線の食い込みが効果的に防止される緑化法枠構造を提供する点にある。
【課題を解決するための手段】
【０００８】
即ち、第１の考案による緑化法枠構造は、法面に敷設した、客土の滑落を防止する目合いを有し、金網を構成する素線の一部に経時的に脆弱性を示す処理部を備えた防錆処理金網と、この金網の上に少なくとも縦方向または横方向に平行にして配置した線材と、この線材を埋め込むように盛り上げたモルタルまたはコンクリートによる法枠と、この法枠間に客土した樹木種子を潜在する現地表土とからなる点に特徴がある（請求項１）。
【０００９】
この緑化法枠構造に用いられる防錆処理金網として、金網を構成する素線の一部に、防錆処理後に塩または酸性物質を付与して、この塩または酸性物質の付与部を経時的に脆弱性を示す処理部とするもの（請求項２）や、金網を構成する素線の一部に、防錆処理後に擦過傷を形成して、この擦過傷を経時的に脆弱性を示す処理部とするもの（請求項３）が選択される。
【００１０】
上記の緑化法枠構造によれば、一般に用いられている金網、即ち、目合いが２〜６ｃｍ程度で、素線の直径が０．８〜１．６ｍｍ程度の防錆処理が施された金網を用いたとしても、この金網の法面への敷設後において、塩または酸性物質の付与部や擦過傷の形成部が、その他の部分よりも比較的早く腐食して、引っ張り方向の抗力が極端に低下することから、樹木の幹が太く成長した際には、この樹木の生育に伴って素線が簡単に切断されるようになり、これによって、幹への素線の食い込みによる樹木の生育不良が効果的に防止されることになる。或いは、上記の処理部が完全に腐食してしまった場合には、樹木の生育を阻害する要因そのものがなくなるのである。
【００１１】
別の観点から、上記の緑化法枠構造の施工に際して、金網を構成する素線の一部を切断した防錆処理金網を用いることも好適である（請求項４）。
【００１２】
この緑化法枠構造によれば、素線の一部の腐食を待つまでもなく、樹木の生育に伴う幹への素線の食い込みが効果的に防止されるのであって、樹木の生育が阻害されることはないのである。
【考案の効果】
【００１３】
第１の考案による緑化法枠構造（請求項１）では、法面上に敷設される金網構成用の素線の一部に、経時的に脆弱性を示す処理部を備えたことで、現地表土に潜在する樹木種子が発芽・生育して、樹木が大きく成長する頃には、その処理部が酸化して脆弱化もしくは完全に腐食してしまうことから、素線の幹への食い込みによる樹木の生育不良が効果的に防止されるようになり、樹木を無理なく成長させることができる。
【００１４】
第２の考案による緑化法枠構造（請求項４）では、金網を構成する素線の一部を切断しておくことから、上記のように素線の一部の腐食を待つまでもなく、樹木の生育に伴う幹への素線の食い込みが効果的に防止されるのであって、この緑化法枠構造によっても、樹木を無理なく成長させることができるのである。
【考案を実施するための最良の形態】
【００１５】
以下、本考案の実施の形態を図面に基づいて説明する。図１及び図２は法面Ｎへの現地樹木の導入による緑化の施工初期の状況を示しており、この緑化用の法枠構造を施工するに際して、先ずは緑化すべき法面Ｎ周辺の樹木種子を潜在した現地表土１を用意する。
【００１６】
この現地表土１の採取に際しては、図３に示すように、例えば小灌木やカヤ、笹などの下層植生を下刈りして排除し、落葉が溜まったＡ00層と、分解しかけた落葉の腐植が溜まったＡ0 層と、腐植と土とが混ざったＡ1 層と、養分の抜けたＡ2 層とを対象にして、これらを例えば耕運爪２などを用いて解し、これを樹木種子を潜在する現地表土１として採取すればよいのである。
【００１７】
現地表土１の採取域は、緑化すべき法面Ｎの周辺に限られるものではなく、例えば大規模な土地造成を行うニュータウンの開発域や道路等の建設域なども採取対象とされるのであり、必要に応じて、ピートモスやバーク堆肥、ベントナイトなどの土壌改良材や、パーライトやバーミキュライト、高吸水性ポリマーなどの保水材、その他、有機堆肥、化学肥料、植物性繊維などが適宜に混合される。
【００１８】
この一方、図１に戻って、緑化すべき法面Ｎ上に、例えば菱型や亀甲型などの防錆処理金網３を敷設し、かつ、補助アンカー４を適宜の間隔で法面Ｎに打ち込んで、この金網３を法面Ｎに固定するのである。
【００１９】
この法面Ｎ上に敷設する防錆処理金網３として、この実施の形態では、図４に示すように、金網構成素線３ａの一部に経時的に脆弱性を示す処理部ａを備えたものを用いるようにしている。
【００２０】
具体的には、鉄等の錆びて脆弱化する直径が０．８〜１．６ｍｍ程度の素線３ａに、銅メッキや亜鉛メッキなどによる防錆の処理を施し、この素線３ａを用いて目合いが２〜６ｃｍ程度の例えば菱型や亀甲型などの金網３を編み上げて、素線３ａに対して経時的に脆弱性を示させる部位に、塩または酢酸等の酸性物質を付与し、この塩または酸性物質の付与部を経時的に脆弱性を示す処理部ａとしているのである。
【００２１】
次に、この金網３上に、鉄筋（その他、例えばワイヤーロープなど）による線材５を少なくとも縦方向または横方向に互いに平行にして配置し、望ましくは図示するように格子状に配置して、この線材５の長手方向に法枠形成用の枠体６を設置し、かつ、線材５を持ち上げて、これを枠体６に保持させるのである。
【００２２】
法枠形成用の枠体６は、その高さが１５〜２０ｃｍ程度で、幅が３０〜３５ｃｍ程度であり、長さは３０〜６０ｃｍ程度のものであって、溶接による針金の組み合わせ構造からなる。
【００２３】
具体的には、図２に示すように、一対の半円形状を呈する枠部材７，７と、この枠部材７，７を一体化させる連結部材８，８と、この連結部材８，８にわたる線材保持部材９，９とからなる。
【００２４】
従って、線材５を跨ぐように枠体６を設置した上で、線材５を線材保持部材９，９側に持ち上げて、これを番線ｂなどによって線材保持部材９，９に結束させることで、線材５は法面Ｎ上の所定の高さ位置に保持されることになる。
【００２５】
図１に戻って、格子状線材５で囲われた部位を植生域とするように、この部位の金網３上に養生シート１０を配置するのであり、そして、モルタルまたはコンクリート（以下、モルタルという。）１１を、法枠形成用の枠体６を吹付け幅および吹付け高さの目安にして、かつ、格子状の線材５ならびに法枠形成用の枠体６を埋め込むように吹き付けて、法面Ｎ上に、モルタル１１の盛り上げによる格子状の法枠１２を形成するのである。
【００２６】
そして、モルタル１１の所定の養生後に養生シート１０を取り外して、上記の植生域に樹木種子を潜在する現地表土１を客土することで、やがては郷土種の樹木による樹林化を期し得る緑化法枠構造の施工を完了するのである。
【００２７】
上記の緑化法枠構造によれば、直径が０．８〜１．６ｍｍ程度で目合いが２〜６ｃｍ程度の金網３を用いることで、法面Ｎ上には、樹木種子を潜在する現地表土１が強固に金網３と一体化した客土層が形成されるのであり、これによって現地表土１の滑落が効果的に防止されることで、この現地表土１に潜在する樹木種子は、健全に生育するようになる。
【００２８】
一方、防錆処理金網３については、施工後の数年間は客土層を定着させるために必要な強度を有しながらも、現地表土１に潜在する樹木種子が樹木に成長する頃には、素線３ａの一部の処理部（塩または酸性物質の付与部）ａが腐食して、引っ張り方向の抗力が極端に低下することから、図５に示すように、樹木Ｂの幹が太く成長した際には、この樹木Ｂの生育に伴って素線が簡単に切断されるようになる。
【００２９】
従って、コナラ、ミズナラ、カシ類、ネムノキ、マツ類、クヌギ等の幹が太くなる樹木Ｂであっても、これの幹が脆弱になった素線３ａを切断して健全に成長するのであり、やがては種子を生産して、この種子が先駆性の樹木Ｂによって生成された土壌の上に落下し、これが発芽・生育することで、法面Ｎの森林化がなされるのであって、全体として、法面Ｎでの植物の遷移ならびに景観の保全が早期に達成されることになる。
【００３０】
尚、現地表土１に潜在する樹木種子が発芽生育するまでに、現地表土１の早期の安定化を図ることを期するならば、現地表土１に生育の早い外来の草本種子を少量配合すればよい。
【００３１】
上記の実施の形態では、金網構成素線３ａの一部に塩または酢酸等の酸性物質を付与して、この塩または酸性物質の付与部を、経時的に脆弱性を示す処理部ａとしているが、図６に示すように、金網構成素線３ａの一部に、防錆処理後に擦過傷を形成して、この擦過傷を経時的に脆弱性を示す処理部ａとしてもよいのである。
【００３２】
或いは、経時的に脆弱性を示す処理部ａを金網３に備えることに代えて、図７に示すように、金網構成素線３ａの一部を切断した切れ目ｃ付きの金網３を法面Ｎ上に敷設する施工の態様をとってもよく、この場合は、素線３ａの一部の腐食を待つまでもなく、樹木の幹への素線３ａの食い込みが効果的に防止されるのであって、樹木の生育が阻害されることはないのである。
【００３３】
尚、上記の線材５を縦方向に平行にして配置し、この線材５を埋め込むようにモルタル１１を吹き付けて、法面Ｎ上に、モルタル１１の盛り上げによる直線状の法枠１２を形成してもよいのであるが、線材５を横方向に平行にして配置してもよく、特に好ましくは、法面Ｎの崩壊に対する抵抗力が大きくなることから、実施の形態で説明した如く、線材５を格子状に配置し、法枠１２も格子状に形成することである。
【図面の簡単な説明】
【００３４】
【図１】法面の樹木による緑化の初期状況を示す説明図である。
【図２】枠体を示す斜視図である。
【図３】現地表土の採取状況を示す説明図である。
【図４】一部を拡大して図示した金網の部分斜視図である。
【図５】樹木が金網の素線を破断して成長した状態を示す斜視図である。
【図６】経時的に脆弱性を示す処理部の別の実施の形態を示す説明図である。
【図７】金網構成素線の一部を切断した状態を示す説明図である。
【符号の説明】
【００３５】
１…現地表土、３…防錆処理金網、３ａ…素線、５…線材、１１…モルタル、１２…法枠、ａ…処理部（塩または酸性物質の付与部，擦過傷）、Ｎ…法面。
【図１】
0003110814.tif 000003
【図２】
0003110814.tif 000004
【図３】
0003110814.tif 000005
【図４】
0003110814.tif 000006
【図５】
0003110814.tif 000007
【図６】
0003110814.tif 000008
【図７】
0003110814.tif 000009